(57)【特許請求の範囲】
【請求項１】
ケーブルの挿入口を有するケーシングと、
前記ケーシングの内部に取り付けられ、接地されたアース部を有するフレキシブル基板と、
前記フレキシブル基板の一部で構成され、前記挿入口へ向かって延びる屈曲部と、
を備え、
前記屈曲部には、前記挿入口から挿入されたケーブルを保持するクランプ部が設けられ、前記クランプ部からの配線が、前記アース部に接続されたことを特徴とする電子装置。
【請求項２】
前記屈曲部は、折り返し状態に屈曲されており、前記クランプ部は、前記屈曲部が設けられた前記フレキシブル基板の上方に配置されたことを特徴とする請求項１に記載の電子装置。
【請求項３】
前記クランプ部は、前記フレキシブル基板の実装部品に比べて前記挿入口に近い位置に配置されたことを特徴とする請求項１または請求項２に記載の電子装置。
【請求項４】
ケーブルの挿入口を有するケーシングの内部に取り付けられるフレキシブル基板であって、
接地されたアース部と、
前記フレキシブル基板の一部で構成され、前記挿入口へ向かって延びる屈曲部と、
前記屈曲部に設けられ、前記挿入口から挿入されたケーブルを保持するクランプ部と、を備え、
前記クランプ部からの配線が、前記アース部に接続されたことを特徴とするフレキシブル基板。
【発明の詳細な説明】
【技術分野】
【０００１】
本発明は、高電圧放電からケーシングの内部のフレキシブル基板の実装部品を保護する避雷機能を備えた電子装置に関するものである。
【背景技術】
【０００２】
従来、画像表示装置のプリント基板上の部品を高電圧放電から保護するために、避雷針が実装されたプリント基板が知られている（例えば特許文献１参照）。この従来のプリント基板では、プリント基板上の部品よりも放電源に近い位置に避雷針が設けられている。したがって、高電圧放電が発生したときには放電源から避雷針へ放電が行われ、高電圧放電による部品破壊が防止される。
【特許文献１】特開平７−１４２８２６号公報（第２−３頁、第１図）
【発明の開示】
【発明が解決しようとする課題】
【０００３】
しかしながら、従来のプリント基板では、プリント基板上の部品を保護するために、避雷針という部品を別個に用意する必要があり、その分だけコストが高くなるという問題があった。また、避雷針を実装するためのスペースをプリント基板上に確保する必要があり、その分だけ他の部品のための実装スペースが少なくなるという問題があった。
【０００４】
ところで、電子装置のケーシングには様々な種類があり、例えば、電子装置のケーシングの内部にケーブルが挿入されるものがある。そのようなケーシングには、ケーシングの内部に挿入されたケーブルを保持するためにケーブル固定用の部品が取り付けられることがあるが、その場合にも、ケーブル固定用の部品を別途用意する必要があり、その分だけコストが高くなるという問題があった。
【０００５】
本発明は、上記従来の問題を解決するためになされたもので、別途部品を用意することなく、高電圧放電からケーシングの内部の実装部品を保護することができるとともに、ケーブルを保持することができる電子装置を提供することを目的とする。
【課題を解決するための手段】
【０００６】
本発明の電子装置は、ケーブルの挿入口を有するケーシングと、前記ケーシングの内部に取り付けられ、接地されたアース部を有するフレキシブル基板と、前記フレキシブル基板の一部で構成され、前記挿入口へ向かって延びる屈曲部と、を備え、前記屈曲部には、前記挿入口から挿入されたケーブルを保持するクランプ部が設けられ、前記クランプ部からの配線が、前記アース部に接続された構成を有している。
【０００７】
この構成により、ケーシングの挿入口の近くで高電圧放電が発生したときには、放電源から屈曲部のクランプ部に放電が行われる。このようにして、屈曲部のクランプ部が避雷針の役割を果たし、フレキシブル基板の実装部品が高電圧放電から保護される。また、屈曲部のクランプ部は、ケーブルを保持するためにケーブル固定用の部品としての役割も果たす。従って、別途部品を用意することなく、高電圧放電からケーシングの内部の実装部品を保護することができるとともに、ケーブルを保持することができる。
【０００８】
また、本発明の電子装置では、前記屈曲部は、折り返し状態に屈曲されており、前記クランプ部は、前記屈曲部が設けられた前記フレキシブル基板の上方に配置された構成を有している。
【０００９】
この構成により、フレキシブル基板の実装部品を、自らの一部で構成された屈曲部のクランプ部によって高電圧放電から保護することができる。
【００１０】
また、本発明の電子装置では、前記クランプ部は、前記フレキシブル基板の実装部品に比べて前記挿入口に近い位置に配置された構成を有している。
【００１１】
この構成により、ケーシングの挿入口の近くで高電圧放電が発生したときに、放電源から実装部品に放電される確率に比べて、放電源から屈曲部のクランプ部に放電される確率が高くなる。これにより、フレキシブル基板の実装部品を高電圧放電から保護する確実性が向上する。
【００１２】
本発明のフレキシブル基板は、ケーブルの挿入口を有するケーシングの内部に取り付けられるフレキシブル基板であって、接地されたアース部と、前記フレキシブル基板の一部で構成され、前記挿入口へ向かって延びる屈曲部と、前記屈曲部に設けられ、前記挿入口から挿入されたケーブルを保持するクランプ部と、を備え、前記クランプ部からの配線が、前記アース部に接続された構成を有している。
【００１３】
この構成により、ケーシングの挿入口の近くで高電圧放電が発生したときには、放電源から屈曲部のクランプ部に放電が行われる。このようにして、屈曲部のクランプ部が避雷針の役割を果たし、フレキシブル基板の実装部品が高電圧放電から保護される。また、屈曲部のクランプ部は、ケーブルを保持するためにケーブル固定用の部品としての役割も果たす。従って、別途部品を用意することなく、高電圧放電からケーシングの内部の実装部品を保護することができるとともに、ケーブルを保持することができる。
【発明の効果】
【００１４】
本発明は、フレキシブル基板の一部で屈曲部を構成し、接地されたアース部に接続されたクランプ部を屈曲部に設けることにより、別途部品を用意することなく、高電圧放電からケーシングの内部の実装部品を保護することができるとともに、ケーブルを保持することができるという効果を有する電子装置を提供することができるものである。
【発明を実施するための最良の形態】
【００１５】
以下、本発明の実施の形態の電子装置について、図面を用いて説明する。本実施の形態では、ユーザが手動で回転させるカメラユニットを備えた監視カメラ装置等の場合を例示する。以下の例では、カメラユニットのケーシングの内部にフレキシブル基板が取り付けられている。
【００１６】
本発明の実施の形態の監視カメラ装置およびフレキシブル基板の構成を、図１〜図４を用いて説明する。図１は、監視カメラ装置のカメラユニットの概略構成を示す説明図である。図２は、カメラユニットのケーシングの内部に取り付けられるフレキシブル基板の説明図である。図３は、監視カメラ装置の概略構成を示す説明図であり、図４は、監視カメラ装置のカメラユニットの斜視図である。
【００１７】
図３および図４に示すように、監視カメラ装置１は、天井や壁などに取り付けられるベース部２と、ベース部２に取り付けられるカメラユニット３と、カメラユニット３を覆うカメラカバー４を備えている。カメラユニット３は、ユーザが手動で回転させることができるように、ベース部２に回転自在に取り付けられている。ベース部２の内部には、監視カメラ装置１の動作制御等を行う内部ユニット５が設けられており、内部ユニット５とカメラユニット３とはケーブル６で接続されている。
【００１８】
図１に示すように、カメラユニット３のケーシング７には、ケーブル６を挿入するための挿入口８が設けられている（図４参照）。また、このケーシング７の内部の取付フレーム９には、フレキシブル基板１０が取り付けられている。フレキシブル基板１０には、様々な電子部品１１（実装部品ともいう）が実装されている。図１の例では、フレキシブル基板１０の上面に、ＣＰＵチップが実装されており、フレキシブル基板１０の下面に、ＣＣＤチップが実装されている。このＣＣＤチップは、レンズユニット１２の光軸上に配置されている。
【００１９】
図２に示すように、フレキシブル基板１０の縁部からは、フレキシブル基板１０の一部で構成された屈曲部１３が延びている。この屈曲部１３は、折り返し状態に屈曲されており、ケーブル６の挿入口８へ向かって延びている（図１参照）。一般に、フレキシブル基板１０には、補強板（図示せず）が取り付けられ、フレキシブル性が適度に低くなるように構成されている。本実施の形態では、屈曲部１３を折り返し状態に屈曲させるために高いフレキシブル性を要するので、屈曲部１３の補強板は取り除かれている。
【００２０】
屈曲部１３の先端には、Ｃ字状のクランプ部１４が設けられている。ケーシング７の内部では、このクランプ部１４によって、挿入口８から挿入されたケーブル６が保持されている（図１参照）。また、フレキシブル基板１０には、接地されたアース部１５が設けられており、クランプ部１４からの配線が、アース部１５に接続されている（図２参照）。
【００２１】
図１および図２に示すように、屈曲部１３の先端に設けられたクランプ部１４は、その屈曲部１３が設けられたフレキシブル基板１０の上方に配置されている。また、本実施の形態では、クランプ部１４が、フレキシブル基板１０の実装部品１１に比べて挿入口８に近い位置に配置されている。つまり、挿入口８からクランプ部１４までの距離が、挿入口８から実装部品１１までの距離に比べて短くなるように設定されているともいえる。
【００２２】
以上のように構成された監視カメラ装置１のカメラユニット３について、フレキシブル基板１０の避雷機能を説明する。
【００２３】
図４は、カメラカバー４を取り外して、カメラユニット３を回転させた状態を示す斜視図である。すでに説明したように、カメラユニット３のケーシング７には、ケーブル６の挿入口８が設けられている。ところが、この挿入口８は、カメラユニット３を回転させるときにユーザの指が届くような位置に設けられている。したがって、ユーザが手動でカメラユニット３を回転させるときに、ユーザの指から静電気による高電圧放電が発生すると、ユーザの指（放電源）から挿入口８を通ってケーシング７の内部に放電されることがある。
【００２４】
ケーシング７の挿入口８の近くで静電気による高電圧放電が発生すると、放電源から屈曲部１３のクランプ部１４に放電が行われる。そして、放電により発生した雷電流は、クランプ部１４からアース部１５へと流れて、グランドへ放電される。このようにして、屈曲部１３のクランプ部１４が避雷針として機能する。
【００２５】
このような本発明の実施の形態の監視カメラ装置１のカメラユニット３によれば、フレキシブル基板１０の一部で屈曲部１３を構成し、接地されたアース部１５に接続されたクランプ部１４を屈曲部１３に設けることにより、別途部品を用意することなく、高電圧放電からケーシング７の内部の実装部品１１を保護することができるとともに、ケーブル６を保持することができる。
【００２６】
例えば、ユーザが手動でカメラユニット３を回転させる場合などに、ケーシング７の挿入口８の近くで静電気による高電圧放電が発生することがある。本実施の形態では、そのような場合、すなわち、ケーシング７の挿入口８の近くで高電圧放電が発生したときに、放電源から屈曲部１３のクランプ部１４に放電が行われる。このようにして、屈曲部１３のクランプ部１４が避雷針の役割を果たし、フレキシブル基板１０の実装部品１１が高電圧放電から保護される。また、屈曲部１３のクランプ部１４は、ケーブル６を保持するためにケーブル６固定用の部品としての役割も果たす。従って、別途部品を用意することなく、高電圧放電からケーシング７の内部の実装部品１１を保護することができるとともに、ケーブル６を保持することができる。
【００２７】
また、本実施の形態では、屈曲部１３が、折り返し状態に屈曲されており、クランプ部１４が、その屈曲部１３が設けられたフレキシブル基板１０の上方に配置されている。したがって、フレキシブル基板１０の実装部品１１を、自らの一部で構成された屈曲部１３のクランプ部１４によって高電圧放電から保護することができる。
【００２８】
また、本実施の形態では、クランプ部１４が、フレキシブル基板１０の実装部品１１に比べて挿入口８に近い位置に配置されている。したがって、ケーシング７の挿入口８の近くで高電圧放電が発生したときに、放電源から実装部品１１に放電される確率に比べて、放電源から屈曲部１３のクランプ部１４に放電される確率が高くなる。これにより、フレキシブル基板１０の実装部品１１を高電圧放電から保護する確実性が向上する。
【００２９】
以上、本発明の実施の形態を例示により説明したが、本発明の範囲はこれらに限定されるものではなく、請求項に記載された範囲内において目的に応じて変更・変形することが可能である。
【産業上の利用可能性】
【００３０】
以上のように、本発明にかかる電子装置は、別途部品を用意することなく、高電圧放電からケーシングの内部の実装部品を保護することができるとともに、ケーブルを保持することができるという効果を有し、避雷機能を備えた監視カメラ装置のカメラユニット等として用いられ、有用である。
【図面の簡単な説明】
【００３１】
【図１】本発明の実施の形態における監視カメラ装置のカメラユニットの説明図
【図２】本発明の実施の形態におけるフレキシブル基板の説明図
【図３】監視カメラ装置の説明図
【図４】監視カメラ装置のカメラユニットの斜視図
【符号の説明】
【００３２】
１  監視カメラ装置
３  カメラユニット
６  ケーブル
７  ケーシング
８  挿入口
１０  フレキシブル基板
１１  電子部品（実装部品）
１３  屈曲部
１４  クランプ部
１５  アース部
【図１】
0004881840.tif 000002
【図２】
0004881840.tif 000003
【図３】
0004881840.tif 000004
【図４】
0004881840.tif 000005